(57)【要約】      （修正有）【課題】任意のデータ生成手段から受け取ったデータを適宜のデータ出力手段で出力する際における該データのセキュリティレベルを適切に確保する。【解決手段】ネットワークシステムは、そのサーバＳＶが、複数の画像形成装置Ｇａ〜Ｇｎのスキャナ部３５ａ〜３５ｎ及び印刷部３６ａ〜３６ｎとともにネットワークＮＷ上に接続されている。サーバＳＶは、スキャナ部３５ａ〜３５ｎの生成するデータを受け取って、画像データ蓄積部４４に蓄積するとともに、該データの生成に関するデータ生成関連情報を取得してデータ生成関連情報記憶部４６に記憶する。サーバＳＶは、画像形成装置Ｇａ〜Ｇｎからデータ出力要求を受け取ると、印刷部３６ａ〜３６ｎに関するデータ出力関連情報を取得して、データ生成関連情報との関連度を探索し、該関連度合いに基づいて、該データの印刷部３６ａ〜３６ｎにおける印刷制限レベルを設定して印刷制限する。【選択図】図４
2015201070.tif 000002
【特許請求の範囲】
【請求項１】
データを生成する複数のデータ生成手段及びデータを出力する複数のデータ出力手段とともにネットワーク上に接続されているデータ出力制限装置であって、
前記データ生成手段の生成するデータを受け取るデータ受取手段と、
前記データ生成手段におけるデータ生成に関するデータ生成関連情報を取得するデータ生成関連情報取得手段と、
前記データ受取手段の受け取ったデータを蓄積するデータ蓄積手段と、
前記データ出力手段からのデータ出力要求を受け取る出力要求受取手段と、
前記データ出力要求に応じて前記データ蓄積手段のデータを前記データ出力手段へ送出するデータ送出手段と、
前記データの出力先である前記データ出力手段おけるデータ出力に関するデータ出力関連情報を取得するデータ出力関連情報取得手段と、
前記データ生成関連情報と前記データ出力関連情報の関連度合いを探索する関連度合い探索手段と、
前記関連度合いに基づいて前記データ出力手段における前記データの出力制限度合いを設定する出力制限度合い設定手段と、
を備えていることを特徴とするデータ出力制限装置。
【請求項２】
前記データ出力制限装置は、
前記出力制限度合いに応じた出力制限情報を前記データ出力手段へ送出する出力制限情報送出手段を、さらに備えていることを特徴とする請求項１記載のデータ出力制限装置。
【請求項３】
前記データ生成手段は、
原稿の画像を読み取って該原稿の画像データを前記データとして生成する画像読取手段であり、
前記データ出力手段は、
画像データに基づいて画像を被記録媒体に記録出力する画像形成手段であることを特徴とする請求項１または請求項２記載のデータ出力制限装置。
【請求項４】
前記データ出力手段は、
情報を表示出力する表示手段を備え、
前記出力制限度合い設定手段は、
前記データの前記出力制限度合いに関する情報を前記表示手段に表示出力することを特徴とする請求項１から請求項３のいずれかに記載のデータ出力制限装置。
【請求項５】
前記データ生成関連情報取得手段は、
前記データ生成手段の前記ネットワーク上でのＩＰアドレスを前記データ生成関連情報として取得し、
前記データ出力関連情報取得手段は、
前記データ出力手段の前記ネットワーク上でのＩＰアドレスを前記データ出力関連情報として取得することを特徴とする請求項１から請求項４のいずれかに記載のデータ出力制限装置。
【請求項６】
前記データ生成関連情報取得手段は、
前記データ生成手段を利用して前記データの生成を行わせるユーザに関するデータ生成ユーザ関連情報を前記データ生成関連情報として取得し、
前記データ出力関連情報取得手段は、
前記データ出力手段を利用して前記データの出力を行わせるユーザに関するデータ出力ユーザ関連情報を前記データ出力関連情報として取得することを特徴とする請求項１から請求項５のいずれかに記載のデータ出力制限装置。
【請求項７】
ネットワーク上に、複数のデータ生成装置、複数のデータ出力装置及びデータ出力制限装置が接続されているネットワークシステムにおいて、
前記データ生成装置は、
データを生成して前記ネットワークを通して前記データ出力制限装置へ送信するデータ生成手段と、
前記データの生成に関するデータ生成関連情報を前記データ出力制限装置に提供するデータ生成関連情報提供手段と、
を備え、
前記データ出力制限装置は、
前記データ生成装置から送られてくるデータを受け取るデータ受取手段と、
前記データ生成関連情報を取得するデータ生成関連情報取得手段と、
前記データ受取手段の受け取ったデータを蓄積するデータ蓄積手段と、
前記データ出力装置からのデータ出力要求を受け取る出力要求受取手段と、
前記データ出力要求に応じて前記データ蓄積手段のデータを前記データ出力装置へ送出するデータ送出手段と、
前記データの出力先である前記データ出力装置におけるデータ出力に関するデータ出力関連情報を取得するデータ出力関連情報取得手段と、
前記データ生成関連情報と前記データ出力関連情報の関連度合いを探索する関連度合い探索手段と、
前記関連度合いに基づいて前記データ出力手段における前記データの出力制限度合いを設定する出力制限度合い設定手段と、
前記出力制限度合いに応じた出力制限情報を前記データ出力手段へ送出する出力制限情報送出手段と、
を備え、
前記データ出力装置は、
前記データ制限装置から前記データを取得するデータ取得手段と、
前記データの出力を行うデータ出力手段と、
前記データ出力関連情報を前記データ出力制限装置へ提供するデータ出力関連情報提供手段と、
前記データに対応する前記出力制限情報に応じて、前記データ出力手段による前記データ出力を制御する出力制御手段と、
を備えていることを特徴とするネットワークシステム。
【請求項８】
ネットワークに接続されている複数台の画像処理装置であって、
自装置または他の前記画像処理装置の備えているデータ生成手段が生成するデータを受け取るデータ受取手段と、
前記データ生成手段におけるデータ生成に関するデータ生成関連情報を取得するデータ生成関連情報取得手段と、
前記データ受取手段の受け取ったデータを蓄積するデータ蓄積手段と、
自装置または他の前記画像処理装置が備え、データを出力するデータ出力手段と、
前記データ出力手段からのデータ出力要求を受け取る出力要求受取手段と、
前記データ出力要求に応じて前記データ蓄積手段のデータを前記データ出力手段へ送出するデータ送出手段と、
前記データ出力手段おけるデータ出力に関するデータ出力関連情報を取得するデータ出力関連情報取得手段と、
前記データ生成関連情報と前記データ出力関連情報の関連度合いを探索する関連度合い探索手段と、
前記関連度合いに基づいて前記データ出力手段における前記データの出力制限度合いを設定する出力制限度合い設定手段と、
前記出力制限度合いに応じた出力制限情報を前記データ出力手段へ送出する出力制限情報送出手段と、
前記出力制限情報に応じて、前記データ出力手段による前記データ出力を制御する出力制御手段と、
を備えていることを特徴とする画像処理装置。
【請求項９】
データを生成する複数のデータ生成手段及びデータを出力する複数のデータ出力手段とともにネットワーク上に接続されているデータ出力制限装置におけるデータ出力制限方法であって、
前記データ生成手段の生成するデータを受け取るデータ受取処理ステップと、
前記データ生成手段におけるデータ生成に関するデータ生成関連情報を取得するデータ生成関連情報取得処理ステップと、
前記データ受取処理ステップで受け取られたデータをデータ蓄積手段へ蓄積するデータ蓄積処理ステップと、
前記データ出力手段からのデータ出力要求を受け取る出力要求受取処理ステップと、
前記データ出力要求に応じて前記データ蓄積手段のデータを前記データ出力手段へ送出するデータ送出処理ステップと、
前記データ出力手段おけるデータ出力に関するデータ出力関連情報を取得するデータ出力関連情報取得処理ステップと、
前記データ生成関連情報と前記データ出力関連情報の関連度合いを探索する関連度合い探索処理ステップと、
前記関連度合いに基づいて前記データ出力手段における前記データの出力制限度合いを設定する出力制限度合い設定処理ステップと、
を有していることを特徴とするデータ出力制限方法。
【請求項１０】
データを生成する複数のデータ生成手段及びデータを出力する複数のデータ出力手段とともにネットワーク上に接続されているデータ出力制限装置の搭載するデータ出力制限プログラムであって、
制御プロセッサに、
前記データ生成手段の生成するデータを受け取るデータ受取処理と、
前記データ生成手段におけるデータ生成に関するデータ生成関連情報を取得するデータ生成関連情報取得処理と、
前記データ受取処理で受け取られたデータをデータ蓄積手段へ蓄積するデータ蓄積処理と、
前記データ出力手段からのデータ出力要求を受け取る出力要求受取処理と、
前記データ出力要求に応じて前記データ蓄積手段のデータを前記データ出力手段へ送出するデータ送出処理と、
前記データ出力手段おけるデータ出力に関するデータ出力関連情報を取得するデータ出力関連情報取得処理と、
前記データ生成関連情報と前記データ出力関連情報の関連度合いを探索する関連度合い探索処理と、
前記関連度合いに基づいて前記データ出力手段における前記データの出力制限度合いを設定する出力制限度合い設定処理と、
を実行させることを特徴とするデータ出力制限プログラム。
【発明の詳細な説明】
【技術分野】
【０００１】
本発明は、データ出力制限装置、ネットワークシステム、画像処理装置、データ出力制限方法及びデータ出力制限プログラムに関し、詳細には、任意のデータ生成手段から受けっとったデータを適宜のデータ出力手段で出力する際における該データのセキュリティレベルを適切に確保するデータ出力制限装置、ネットワークシステム、画像処理装置、データ出力制限方法及びデータ出力制限プログラムに関する。
【背景技術】
【０００２】
近年、ネットワークの普及にともなって、画像形成装置においても、ネットワークに接続されて、コンピュータ等の情報処理装置から印刷ジョブを受け取って、印刷ジョブを実行することで、該印刷ジョブの画像データの画像を印刷出力することが行われている。
【０００３】
特に、原稿の画像を読み取る画像読取機能を備えたある画像形成装置で読み取られた画像データを、ネットワーク上のサーバに保存し、該ネットワークに接続されている他の任意の画像形成装置から該サーバの画像データを読み出して印刷出力する連携印刷（いわゆるオンデマンド印刷）が行われることがある。
【０００４】
このような連携印刷においては、社内や社外等のように画像形成装置の設置場所に関係なく、画像データをサーバに保存し、また、取り出して印刷出力することができることが、利点の１つとなっている。
【０００５】
ところが、このような連携印刷の利点は、逆に、場所に無関係に印刷を行うことができるため、組織や個人の間で不用意に印刷を行うことで、情報が漏洩する可能性が高いという問題があった。
【０００６】
そして、従来、印刷データに基づいて印刷を行う印刷手段を備える印刷システムにおいて、前記印刷手段に提供する印刷データを、前記印刷手段の設置環境に基づくセキュリティ属性に見合ったセキュリティ属性を有する印刷データに制限する印刷データ制限手段を備えた印刷システムが提案されている（特許文献１参照）。
【０００７】
すなわち、この従来技術は、画像データを印刷出力する画像形成装置の設置環境に応じて印刷可否判断のセキュリティレベルを決定することで、セキュリティの確保を図っている。
【発明の概要】
【発明が解決しようとする課題】
【０００８】
しかしながら、上記従来技術にあっては、画像データを印刷出力する画像形成装置の設置環境に応じて印刷可否判断のセキュリティレベルを決定しているのみであるため、ネットワークに接続されている任意の画像形成装置からサーバ上の画像データを読み出して印刷出力する連携印刷に対しては、適切なセキュリティを確保することができず、改良の必要があった。
【０００９】
そこで、本発明は、任意のデータ生成手段で生成されたデータを適宜のデータ出力手段で出力する際における該データのセキュリティレベルを適切に確保することを目的としている。
【課題を解決するための手段】
【００１０】
上記目的を達成するために、請求項１記載のデータ出力制限装置は、データを生成する複数のデータ生成手段及びデータを出力する複数のデータ出力手段とともにネットワーク上に接続されているデータ出力制限装置であって、前記データ生成手段の生成するデータを受け取るデータ受取手段と、前記データ生成手段におけるデータ生成に関するデータ生成関連情報を取得するデータ生成関連情報取得手段と、前記データ受取手段の受け取ったデータを蓄積するデータ蓄積手段と、前記データ出力手段からのデータ出力要求を受け取る出力要求受取手段と、前記データ出力要求に応じて前記データ蓄積手段のデータを前記データ出力手段へ送出するデータ送出手段と、前記データ出力手段おけるデータ出力に関するデータ出力関連情報を取得するデータ出力関連情報取得手段と、前記データ生成関連情報と前記データ出力関連情報の関連度合いを探索する関連度合い探索手段と、前記関連度合いに基づいて前記データ出力手段における前記データの出力制限度合いを設定する出力制限度合い設定手段と、を備えていることを特徴としている。
【発明の効果】
【００１１】
本発明によれば、任意のデータ生成手段で生成されたデータを適宜のデータ出力手段で出力する際における該データのセキュリティレベルを適切に確保することができる。
【図面の簡単な説明】
【００１２】
【図１】本発明の一実施例を適用したネットワークシステムの構成図。
【図２】データ生成関連情報テーブルの一例を示す図。
【図３】データ出力情報テーブルの一例を示す図。
【図４】ネットワークシステムの機能ブロック構成図。
【図５】印刷制限テーブルの一例を示す図。
【図６】データ生成蓄積処理を示すシーケンス図。
【図７】図６に示すデータ生成蓄積処理の続きを示すシーケンス図。
【図８】印刷制限を伴う印刷処理を示すシーケンス図。
【図９】図８に示す印刷処理の続きを示すシーケンス図。
【図１０】図９に示す印刷処理の続きを示すシーケンス図。
【図１１】図１０に示す印刷処理の続きを示すシーケンス図。
【図１２】画像データ管理テーブルの一例を示す図。
【図１３】印刷制限設定処理を示すフローチャート。
【図１４】ＩＰアドレスに基づく関連度探索・印刷制限処理を示すフローチャート。
【図１５】緯度経度、ＩＰアドレス及びユーザ情報に基づく関連度探索・印刷制限処理を示すフローチャート。
【図１６】使用ユーザの履歴情報に基づく関連度探索・印刷制限処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図１６は、本発明のデータ出力制限装置、ネットワークシステム、画像処理装置、データ出力制限方法及びデータ出力制限プログラムの一実施例を示す図であり、図１は、本発明のデータ出力制限装置、ネットワークシステム、画像処理装置、データ出力制限方法及びデータ出力制限プログラムの一実施例を適用したネットワークシステム１の構成図である。
【００１５】
図１において、ネットワークシステム１は、ＬＡＮ（Local Area Network）等のネットワークＮＷに、複数の画像形成装置Ｇａ〜Ｇｎ及びサーバＳＶが、有線、無線のいずれかまたは双方で接続されている。
【００１６】
画像形成装置（画像処理装置）Ｇａ〜Ｇｎは、例えば、スキャナ装置、プリンタ装置、複写装置、ファクシミリ装置、複合装置等が用いられ、本実施例では、例えば、同じ建物、異なる建物、同じ地域と国、異なる地域と国等にまたがって、配置されている。画像形成装置Ｇａ〜Ｇｎは、それぞれ、例えば、読取部１１ａ〜１１ｎ、操作部１２ａ〜１２ｎ、ＣＰＵ（Central Processing Unit）１３ａ〜１３ｎ、ＲＯＭ（Read Only Memory）１４ａ〜１４ｎ、ＲＡＭ（Random Access Memory）１５ａ〜１５ｎ、印刷部１６ａ〜１６ｎ、画像メモリ１７ａ〜１７ｎ、ハードディスク（ＨＤＤ）１８ａ〜１８ｎ及びＮＩＣ（Network Interface Card）１９ａ〜１９ｎ等を備えている。
【００１７】
ＲＯＭ１４ａ〜１４ｎは、それぞれの画像形成装置Ｇａ〜Ｇｎとしての基本プログラム、本発明のデータ出力制限プログラムのうち、画像形成装置Ｇａ〜Ｇｎにおいて実行する必要のある部分のプログラム及び必要なシステムデータが格納されている。
【００１８】
ＲＡＭ１５ａ〜１５ｎは、ＣＰＵ１３ａ〜１３ｎのワークメモリとして利用され、各種データがＣＰＵ１３ａ〜１３ｎの制御下で格納される。
【００１９】
ＣＰＵ（データ出力制御手段）１３ａ〜１３ｎは、ＲＯＭ１４ａ〜１４ｎ内のプログラムに基づいて、ＲＡＭ１５ａ〜１５ｎをワークメモリとして利用しつつ、画像形成装置Ｇａ〜Ｇｎの各部を制御して、画像形成装置Ｇａ〜Ｇｎとしての基本処理を実行する。また、ＣＰＵ１３ａ〜１３ｎは、データ出力制限プログラムに基づいて、本発明のデータ出力制限方法のうち、画像形成装置Ｇａ〜Ｇｎとして実行すべき部分の処理を実行する。
【００２０】
読取部（データ生成手段）１１ａ〜１１ｎは、例えば、光電変換素子としてＣＣＤ(Charge Coupled Device)またはＣＭＯＳ（Complementary Metal Oxide Semiconductor ）を用いたスキャナが用いられている。読取部１１ａ〜１１ｎは、原稿を走査して、該原稿の画像を読み取り、画像データ（データ）を生成して、ＣＰＵ１３ａ〜１３ｎへ出力する。ＣＰＵ１３ａ〜１３ｎは、読取部１１ａ〜１１ｎの読み取った原稿の画像データを、後述する操作部１２ａ〜１２ｎからの指示に応じた出力設定と出力先に応じた印刷ジョブ等のデータ出力ジョブを生成して、サーバＳＶへ送信する。
【００２１】
操作部１２ａ〜１２ｎは、テンキー、スタートキー、ファンクションキー等の画像形成装置Ｇａ〜Ｇｎの操作に必要な各種操作キーを備えるとともに、表示手段としてディスプレイ（例えば、液晶ディスプレイ）を備えている。操作部１２ａ〜１２ｎは、各種操作キーから入力されるコピー操作、スキャナ操作等の各種命令をＣＰＵ１３ａ〜１３ｎへ通知し、ＣＰＵ１３ａ〜１３ｎからの表示情報をディスプレイに表示させる。
【００２２】
印刷部（データ出力手段）１６ａ〜１６ｎは、それぞれ種々の画像形成方式（印刷方式）の印刷部が用いられており、例えば、サーマル素子を利用したサーマル印刷部、インク吐出式印刷部、または、電子写真式印刷部等が使用されている。印刷部１６ａ〜１６ｎは、受信した画像データや読取部１１ａ〜１１ｎで読み取られた画像データに基づいて、用紙、フィルム等の被記録媒体（以下、単に、用紙という。）に画像を形成（印刷）して、画像形成済みの用紙を排紙トレイ上に排出する。
【００２３】
画像メモリ１７ａ〜１７ｎは、読取部１１ａ〜１１ｎの読み取った原稿の画像データ、受信した画像データ及び画像処理後の画像データ等をＣＰＵ１３ａ〜１３ｎの制御下で記憶し、また、読み出される。
【００２４】
ハードディスク１８ａ〜１８ｎは、プログラム、画像データ等をＣＰＵ１３ａ〜１３ｎの制御下で記憶し、また、画像形成装置Ｇａ〜Ｇｎを利用することのできるユーザに関する認証情報を格納している。
【００２５】
ＮＩＣ１９ａ〜１９ｎは、ネットワークＮＷのケーブル（例えば、ＬＡＮのイーサネット（登録商標）ケーブル）に接続されている。ＮＩＣ１９ａ〜１９ｎは、ＴＣＰ／ＩＰ（Transmission Control Protocol/Internet Protocol）やＳＭＴＰ（Simple Mail Transfer Protocol ）／ＰＯＰ（Point Of Production ）等のプロトコルの制御を行う。ＮＩＣ１９ａ〜１９ｎは、画像形成装置Ｇａ〜Ｇｎ相互間及びサーバＳＶと通信を行って、印刷ジョブ、データ等の授受を行う。ＮＩＣ１９ａ〜１９ｎとＣＰＵ１３ａ〜１３ｎは、全体として、データの生成に関するデータ生成関連情報を前記データ出力制限装置に提供するデータ生成関連情報提供手段、データ制限装置であるサーバＳＶから前記データを取得するデータ取得手段及びデータ出力関連情報をサーバＳＶへ提供するデータ出力関連情報提供手段として機能している。
【００２６】
そして、各画像形成装置Ｇａ〜Ｇｎは、読取部１１ａ〜１１ｎで読み取った原稿の画像データ（データ）を、ＣＰＵ１３ａ〜１３ｎの制御下で、例えば、図２に示すようなデータ生成関連情報テーブルＴｂ１として蓄積する。データ生成関連情報テーブルＴｂ１は、図２の場合、データ生成関連情報として、データの蓄積順等の「Ｎｏ．」、「画像データ名」（画像データを特定する名称）に対応させて、蓄積元機器情報及び蓄積実施ユーザ情報等が登録される。蓄積元機器情報は、ＩＰ（Internet Protocol）アドレス、緯度経度及び使用履歴のあるユーザの所属情報からなる。ＩＰアドレスは、画像形成装置Ｇａ〜ＧｎのネットワークＮＷ上で一義的に決まる識別子、緯度経度は、画像形成装置Ｇａ〜Ｇｎの設置されている場所の緯度経度情報、ユーザの所属情報は、その画像データを使用したユーザが所属している会社、団体等の組織、その組織内のグループ等を示している。蓄積実施ユーザ情報（データ生成ユーザ関連情報）は、アカウントＩＤ及び所属からなる。アカウントＩＤは、蓄積データを、ネットワークＮＷを介して利用する場合の権利を示す情報であり、所属は、そのアカウントＩＤのユーザが所属している会社、団体等の組織、その組織内のグループ等を示している。なお、上記データ生成関連情報テーブルＴｂ１に登録される情報のうち、緯度経度情報については、例えば、画像形成装置Ｇａ〜Ｇｎの設置時に、ユーザまたは作業者が、操作部１２ａ〜１２ｎの操作等によって設定入力した情報をデータ生成関連情報テーブルＴｂ１にＣＰＵ１３ａ〜１３ｎが登録する。あるいは、緯度経度情報については、画像形成装置Ｇａ〜Ｇｎが、画像形成装置Ｇａ〜Ｇｎの設置されている現在位置を取得する位置検知機器（例えば、ＧＰＳ（Global Positioning System）アンテナ等）を搭載していて該位置検知機器によって取得した緯度経度情報を、ＣＰＵ１３ａ〜１３ｎがデータ生成関連情報テーブルＴｂ１に登録する。
【００２７】
画像形成装置Ｇａ〜Ｇｎは、画像データをサーバＳＶへ送信する場合、ＣＰＵ１３ａ〜１３ｎの制御下で、データ生成関連情報テーブルＴｂ１に登録されている情報のうち、送信対象の画像データに対応するデータ生成関連情報を該画像データとともにサーバＳＶへ送信する。なお、各画像形成装置Ｇａ〜Ｇｎは、生成した画像データを自機で印刷出力等の出力を行う場合もある。
【００２８】
そして、サーバＳＶは、送信されてきた画像データとデータ生成関連情報を、ハードディスク２６に蓄積して、ネットワークＮＷ上の画像形成装置Ｇａ〜Ｇｎからデータ取得要求があると、指定のデータ（画像データ）を後述する印刷制限情報（出力制限情報）を追加した上で、提供する。
【００２９】
上記画像形成装置Ｇａ〜Ｇｎは、サーバＳＶから受け取った画像データに対して必要な画像処理を施した後、印刷部１６ａ〜１６ｎで該画像データに基づいて画像を用紙に印刷出力し、印刷物を排紙トレイへ出力する。また、画像形成装置Ｇａ〜Ｇｎは、配信機能を有する場合に、要求されている処理が配信処理であると、画像データに対して必要な画像処理を施した後、指定の配信先に画像データを配信する。画像形成装置Ｇａ〜Ｇｎは、これらの画像データ出力処理において、サーバＳＶから受け取った画像データに対して印刷制限が追加されている印刷制限情報（印刷設定情報）に基づいて印刷（出力）を制限する。この印刷制限（出力制限）の詳細については、後述する。
【００３０】
サーバ（データ出力制限装置）ＳＶは、例えば、通常のハードウェア構成及びソフトウェア構成のサーバやコンピュータ等が用いられ、特に、本発明のデータ出力制限方法の主要部分を実行するためのデータ出力制限プログラムを搭載している。
【００３１】
サーバＳＶは、操作部２１、ＣＰＵ２２、ＲＯＭ２３、ＲＡＭ２４、画像メモリ２５、ハードディスク（ＨＤＤ）２６及びＮＩＣ２７等を備えている。
【００３２】
ＲＯＭ２３は、ネットワークシステム１におけるサーバとしての基本プログラム、本発明のデータ出力制限プログラムのうち、サーバＳＶにおいて実行する必要のある部分のプログラム及び必要なシステムデータが格納されている。
【００３３】
ＲＡＭ２４は、ＣＰＵ２２のワークメモリとして利用され、各種データがＣＰＵ２２の制御下で格納される。
【００３４】
ＣＰＵ２２は、ＲＯＭ２３内のプログラムに基づいて、ＲＡＭ２４をワークメモリとして利用しつつ、サーバＳＶの各部を制御して、ネットワークシステム１におけるサーバＳＶにとしての基本処理を実行する。また、ＣＰＵ２２は、データ出力制限プログラムに基づいて、本発明のデータ出力制限方法のうち、サーバＳＶとして実行すべき部分の処理を実行する。
【００３５】
画像メモリ２５は、サーバＳＶとして画像データに必要な処理を施す場合に、処理中の画像データ等を一時的に格納する。
【００３６】
ハードディスク（データ蓄積手段）２６は、ネットワークシステム１におけるサーバＳＶとして必要な各種データ、特に、本発明のデータ出力制限方法を実行する上で必要なカテ等の各種データを蓄積している。
【００３７】
すなわち、サーバＳＶは、画像形成装置Ｇａ〜Ｇｎから受け取った画像データをハードディスク２６に蓄積して管理して、ネットワークＮＷ上の画像形成装置Ｇａ〜Ｇｎからデータ要求があると、後述するセキュリティレベルを設定して該セキュリティレベルに応じた印刷制限情報（データ出力制限情報）とともに、該データを該画像形成装置Ｇａ〜Ｇｎへ送信する。
【００３８】
そして、画像形成装置Ｇａ〜Ｇｎは、サーバＳＶ上の画像データの取得要求を行う場合、自機に関する情報を、データ出力関連情報としてサーバＳＶに送信する。
【００３９】
サーバＳＶは、画像形成装置からデータ取得要求とともに送られてくるデータ出力関連情報を、受け取って、ハードディスク２６に、例えば、図３に示すようなデータ出力関連情報テーブルＴｂ２に登録する。データ出力関連情報テーブルＴｂ２は、出力先機器情報と出力実施ユーザ情報からなるデータ出力関連情報を登録する。出力先機器情報は、ＩＰアドレス、緯度経度及び使用履歴のあるユーザの所属情報からなる。ＩＰアドレスは、出力先機器である画像形成装置Ｇａ〜ＧｎのＩＰアドレスであり、緯度経度は、出力先機器の画像形成装置Ｇａ〜Ｇｎの現在設置位置を示す経度緯度情報である。使用履歴のあるユーザの所属情報は、出力先機器の画像形成装置Ｇａ〜Ｇｎを使用したことのあるユーザの所属している会社、団体等の組織、その組織内のグループ等とそのユーザ数を示している。出力実施ユーザ情報（データ出力ユーザ関連情報）は、データ出力を行ったユーザのアカウントＩＤ及び所属からなる。アカウントＩＤは、蓄積データを、ネットワークＮＷを介して利用する場合の権利を示す情報であり、所属は、そのアカウントＩＤのユーザが所属している会社、団体等の組織、その組織内のグループ等を示している。
【００４０】
そして、サーバＳＶは、画像データの出力要求が発生すると、該出力要求のあった画像データに出力に際して、データ生成関連情報とデータ出力関連情報に基づいて出力対象の画像データに対する印刷制限レベル（出力制限度合い）を設定して、印刷制限情報（出力制限情報）と必要な画像データを出力先の画像形成装置Ｇａ〜Ｇｎに送る。
【００４１】
ＮＩＣ２７は、ネットワークＮＷに接続され、ＣＰＵ２２の制御下で、ネットワークＮＷ上の画像形成装置Ｇａ〜Ｇｎ及び携帯端末装置ＫＴと通信して、データ及び各種情報の授受を行う。
【００４２】
上記ＣＰＵ２２及びＮＩＣ２７は、ネットワークＮＷに接続され、該ネットワークＮＷに接続されているデータ生成手段である画像形成装置Ｇａ〜Ｇｎの読取部１１ａ〜１１ｎの生成するデータを受け取るデータ受取処理を行い、データ受取手段として機能している。
【００４３】
また、ＣＰＵ２２またはＣＰＵ２２とＮＩＣ２７は、画像形成装置Ｇａ〜Ｇｎの読取部１１ａ〜１１ｎに関するデータ生成関連情報を取得するデータ生成関連情報取得処理を行い、データ生成関連情報取得手段として機能している。
【００４４】
さらに、ＣＰＵ２２またはＣＰＵ２２とＮＩＣ２７は、データ出力手段である画像形成装置Ｇａ〜Ｇｎの印刷部１６ａ〜１６ｎに関するデータ出力関連情報を取得するデータ出力関連情報取得処理を行い、データ出力関連情報取得手段として機能している。
【００４５】
また、ＣＰＵ２２は、上記データ生成関連情報と上記データ出力関連情報の関連度合いを検索する関連度合い検索処理を行い、関連度合い検索手段として機能している。
【００４６】
さらに、ＣＰＵ２２は、前記関連度合いに基づいてデータ出力手段としての画像形成装置Ｇａ〜Ｇｎの印刷部１６ａ〜１６ｎにおけるデータ（画像データ）の印刷制限レベル（出力制限度合い）を設定する出力制限度合い設定処理を行い、出力制限度合い設定手段として機能している。
【００４７】
また、ＣＰＵ２２は、前記印刷制限レベル（出力制限度合い）に応じた印刷設定情報（出力制限情報）を前記画像形成装置Ｇａ〜Ｇｎの印刷部１６ａ〜１６ｎへ送出する出力制限情報送出処理を行い、出力制限情報送出手段として機能している。
【００４８】
そして、ネットワークシステム１は、本発明のデータ出力制限プログラムが、サーバＳＶ及び画像形成装置Ｇａ〜Ｇｎに導入されることで、本発明のデータ出力制限方法を実行する。すなわち、ネットワークシステム１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明のデータ出力制限方法を実行するデータ出力制限プログラムを読み込んでサーバＳＶのＲＯＭ２３及び画像形成装置Ｇａ〜ＧｎのＲＯＭ１４ａ〜１４ｎに導入することで、後述する画像形成装置Ｇａ〜Ｇｎで生成されたデータ（画像データ）をサーバＳＶに蓄積して、画像形成装置Ｇａ〜Ｇｎからの出力要求に応じて該データを該画像形成装置Ｇａ〜Ｇｎに出力する際における該データのセキュリティレベルを適切に確保するデータ出力制限方法を実行するネットワークシステムとして構築されている。このデータ出力制限プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００４９】
そして、ネットワークシステム１は、上記データ出力制限プログラムが導入されることで、サーバＳＶ及び画像形成装置Ｇａ〜Ｇｎに、図４に示すような機能ブロックがそれぞれ構築される。
【００５０】
すなわち、ネットワークシステム１は、図４に示すように、画像形成装置Ｇａ〜Ｇｎに、ジョブ制御部３１ａ〜３１ｎ、通信部３２ａ〜３２ｎ、ＵＩ（User Interface）３３ａ〜３３ｎ、機器設置情報取得部３４ａ〜３４ｎ、スキャナ部３５ａ〜３５ｎ及び印刷部３６ａ〜３６ｎが構築される。また、サーバＳＶに、印刷ジョブ管理部４１、通信部４２、印刷制限レベル設定部４３、画像データ記憶部４４、関連度探索部４５、データ生成関連情報記憶部４６及び外部サーバ連携部４７が構築される。
【００５１】
画像形成装置Ｇａ〜Ｇｎのジョブ制御部３１ａ〜３１ｎは、ＣＰＵ１３ａ〜１３ｎによって構築されている。ジョブ制御部３１ａ〜３１ｎは、スキャナ部３５ａ〜３５ｎでの原稿画像の読取処理、印刷部３６ａ〜２６ｎでの印刷処理を制御する。
【００５２】
通信部３２ａ〜３２ｎは、ＮＩＣ１９ａ〜１９ｎで構築される。通信部３２ａ〜３２ｎは、ジョブ制御部３１ａ〜３１ｎの制御下で、サーバＳＶ及び他の画像形成装置Ｇａ〜Ｇｎと通信して、画像データ及びデータ生成関連情報の送信、データ出力関連情報の送信、画像データ及び印刷設定情報（データ出力制限情報）の受信等を行う。
【００５３】
ＵＩ３３ａ〜３３ｎは、操作部１２ａ〜１２ｎで構築され、ジョブ制御部３１ａ〜３１ｎの制御下で、操作内容のジョブ制御部３１ａ〜３１ｎへの通知、表示データの表示等を行う。特に、ＵＩ３３ａ〜３３ｎは、表示手段として、底を備えており、データの出力度合いである印刷制限レベルに関する情報を表示する。
【００５４】
機器設置情報取得部３４ａ〜３４ｎは、操作部１２ａ〜１２ｎやＧＰＳアンテナ等で構築され、画像形成装置Ｇａ〜Ｇｎの設置されている現在位置を取得する。
【００５５】
スキャナ部（データ生成手段）３５ａ〜３５ｎは、読取部１１ａ〜１１ｎで構築され、ジョブ制御部３１ａ〜３１ｎの制御下で、原稿の画像を読み取って画像データをジョブ制御部３１ａ〜３１ｎへ出力する。
【００５６】
印刷部（データ出力手段）３６ａ〜３６ｎは、印刷部１６ａ〜１６ｎで構築され、ジョブ制御部３１ａ〜３１ｎの制御下で、画像データに基づいて、上記印刷方式で、画像を用紙に印刷出力する。
【００５７】
なお、本実施例においては、データ出力を印刷出力に限定して説明するが、データ出力としては、印刷出力に限るものではなく、例えば、配信出力、携帯型記憶媒体（ＵＳＢ（Universal Serial Bus）メモリ等）への記録出力等であってもよい。
【００５８】
サーバＳＶの印刷ジョブ管理部４１は、ＣＰＵ２２で構築され、画像形成装置Ｇａ〜Ｇｎからデータ生成関連情報とともに送信されてきた画像データを画像データ記憶部４４に蓄積して管理する。印刷ジョブ管理部４１は、画像データ記憶部４４の画像データに対してデータ出力関連情報の通知を伴う画像形成装置Ｇａ〜Ｇｎから取出要求があると、該データ生成関連情報とデータ出力関連情報に基づいて決定された印刷制限レベル（出力制限度合い）を示す印刷設定情報（出力制限情報）を該画像データに付加して、要求元の画像形成装置Ｇａ〜Ｇｎへ通信部４２を介して送信する。
【００５９】
通信部４２は、ＮＩＣ２７で構築されている。通信部４２は、画像形成装置Ｇａ〜Ｇｎのスキャナ部３５ａ〜３５ｎの生成する画像データ（データ）を受け取るデータ受取処理を行い、データ受取手段として機能している。また、通信部４２は、画像形成装置Ｇａ〜Ｇｎの印刷部３６ａ〜３６ｎからのデータ出力要求を受け取る出力要求受取処理を行い、出力要求受取手段として機能している。さらに、通信部４２は、印刷ジョブ管理部４１の制御下で、画像形成装置Ｇａ〜Ｇｎの印刷部３６ａ〜３６ｎにおけるデータ生成に関するデータ生成関連情報を取得するデータ生成関連情報取得処理を行い、通信部４２と印刷ジョブ管理部４１は、全体として、データ生成関連情報取得手段として機能している。また、通信部４２は、印刷ジョブ管理部４１の制御下で、データ出力要求に応じて画像データ記憶部４４の画像データ（データ）を画像形成装置Ｇａ〜Ｇｎの印刷部３６ａ〜３６ｎへ送出するデータ送出処理を行い、通信部４２と印刷ジョブ管理部４１は、全体として、データ送出手段として機能している。さらに、通信部４２は、印刷ジョブ管理部４１の制御下で、データの出力先である画像形成装置Ｇａ〜Ｇｎの印刷部３６ａ〜３６ｎおけるデータ出力に関するデータ出力関連情報を取得するデータ出力関連情報取得処理を行ない、通信部４２と印刷ジョブ管理部４１は、全体として、データ出力関連情報取得手段として機能している。
【００６０】
画像データ記憶部（データ蓄積手段）４４は、ハードディスク２６によって構築される。画像データ記憶部４４は、画像形成装置Ｇａ〜Ｇｎから送信されてきた画像データを印刷ジョブ管理部４１の制御下で蓄積し、また、印刷ジョブ管理部４１によって読み出される。
【００６１】
データ生成関連情報記憶部４６は、ハードディスク２６によって構築され、通信部４２が画像形成装置Ｇａ〜Ｇｎから画像データとともに送信されてきたデータ生成関連情報を、印刷ジョブ管理部４１の制御下で記憶する。
【００６２】
外部サーバ連携部４７は、ＣＰＵ２２によって構築され、業務管理処理等におけるデータ出力制限を行う場合に、外部サーバと連携してデータ出力制限を伴う業務管理処理等の連携処理を行う。
【００６３】
関連度探索部４５は、ＣＰＵ２２によって構築される。関連度探索部４５は、データ出力要求を行ってきた画像形成装置Ｇａ〜Ｇｎのデータ出力関連情報と該データ出力要求のあった画像データに付与されているデータ生成関連情報に基づいて、これらのデータ出力関連情報とデータ生成関連情報の関連度合いを探索する関連度合い探索処理を行い、関連度合い探索手段として機能している。関連度探索部４５は、例えば、データ生成した画像形成装置Ｇａ〜Ｇｎとデータ出力先の画像形成装置Ｇａ〜Ｇｎが、同じ会社に設置されている画像形成装置Ｇａ〜Ｇｎであるか、データ生成した画像形成装置Ｇａ〜Ｇｎが社外であるか、データ出力先の画像形成装置Ｇａ〜Ｇｎが社外であるか等の関連度合いを探索する。
【００６４】
印刷制限レベル設定部４３は、関連度探索部４５によって検索された関連度合いに基づいて、出力対象の画像データの画像形成装置Ｇａ〜Ｇｎにおける出力制限度合いを設定する印刷制限レベル（出力制限度合い）設定処理を行い、出力制限度合い設定手段として機能している。印刷制限レベル設定部４３は、例えば、図５に示すような印刷制限テーブルＴｂ３を内部メモリまたは画像データ記憶部４４に記憶しており、この印刷制限レベル設定処理において、関連度合いに基づいて参照して、印刷制限レベルを設定する。図５の印刷制限テーブルＴｂ３は、具体的には、データ生成した画像形成装置Ｇａ〜Ｇｎの設置場所（読取場所）とデータ出力先の画像形成装置Ｇａ〜Ｇｎの設置場所（印刷場所）が、「社内」であるか、「社外」であるかによって制限を設定するものとなっている。
【００６５】
図５の場合、読取場所と印刷場所の双方が「社内」であると、印刷出力（データ出力）に対して制限を設けない「制限なし」となっている。また、図５の場合、読取場所が「社外」で、印刷場所が「社内」であると、社外のデータを社内に持ち込んで印刷することとなるため、印刷出力（データ出力）に承認を必要とする制限を設ける「データ持ち込み承認要」となっている。さらに、図５の場合、読取場所が「社内」で、印刷場所が「社外」であると、社内のデータを社外に持ち出して印刷することとなるため、印刷制限として、不正コピーガードを行ない、印刷部数を１０部に制限する「強制不正コピーガード、印刷部数制限：１０部」となっている。また、図５の場合、読取場所が「社外」で、印刷場所が「社外」であると、社内におけるデータ出力（印刷出力）を管理するサーバＳＶとしては、関与の対象外として、印刷出力（データ出力）に対して制限を設けない「制限なし」となっている。なお、この印刷制限レベルは、データのセキュリティの観点から適宜設定することができる。
【００６６】
印刷制限レベル設定部４３は、上記読取場所が「社外」の「データ持ち込み承認要」の場合、外部サーバ連携部４７に、その読取データ（画像データ）が、印刷制限対象であるか否かの問い合わせを外部サーバに対して行わせる。印刷制限レベル設定部４３は、問い合わせ結果において、社外サーバにおいて該画像データが印刷制限対象であると、その印刷制限に対応した印刷制限レベルを設定し、印刷制限対象外であると、「制限なし」とする。
【００６７】
そして、上記印刷ジョブ管理部４１は、印刷制限レベル（出力制限度合い）に基づいて出力対象の画像データの画像形成装置Ｇａ〜Ｇｎにおける印刷（出力）を制限するための印刷制限情報（出力制限情報）を印刷設定情報として送出する出力制限情報送出処理を行い、出力制限情報送出手段として機能している。
【００６８】
次に、本実施例の作用を説明する。本実施例のネットワークシステム１は、任意の画像形成装置Ｇａ〜Ｇｎの読取部１１ａ〜１１ｎで生成された画像データ（データ）を適宜の画像形成装置Ｇａ〜Ｇｎの印刷部１６ａ〜１６ｎで出力する際における該画像データのセキュリティレベルを適切に確保する。
【００６９】
なお、以下の説明では、ネットワークシステム１は、いずれかの画像形成装置Ｇａ〜Ｇｎが、その読取部１１ａ〜１１ｎで読み取った画像データを、サーバＳＶに送信して蓄積し、いずれかの画像形成装置Ｇａ〜ＧｎからサーバＳＶにデータ出力要求を行って、その印刷部１６ａ〜１６ｎで印刷出力する場合について説明する。
【００７０】
ネットワークシステム１は、図６及び図７に示すように、データ生成蓄積処理を行う。すなわち、ユーザが、図５に示すように、画像形成装置Ｇａ〜ＧｎのＵＩ３３ａ〜３３ｎを使用して、読取ジョブ開始要求操作を行うと（Ｓ１）、ＵＩ３３ａ〜３３ｎが、ジョブ制御部３１ａ〜３１ｎへ読取ジョブ開始実行要求を行う（Ｓ２）。
【００７１】
ジョブ制御部３１ａ〜３１ｎは、読取ジョブ開始実行要求があると、スキャナ部３５ａ〜３５ｎに画像読取開始実行要求を行う（Ｓ３）。スキャナ部３５ａ〜３５ｎは、原稿の読み取りを実行して、全ての原稿の読み取りを行って画像データの取得を完了すると、画像読取完了通知をジョブ制御部３１ａ〜３１ｎへ行う（Ｓ４）。
【００７２】
ジョブ制御部３１ａ〜３１ｎは、次に、機器設置情報取得部３４ａ〜３４ｎへ機器設置情報取得要求を行う（Ｓ５）。機器設置情報取得部３４ａ〜３４ｎは、データ生成関連情報テーブルＴｂ１から蓄積元機器情報と蓄積実施ユーザ情報（ユーザ情報）をデータ生成関連情報として取得して、機器設置情報としてジョブ制御部３１ａ〜３１ｎに通知する（Ｓ６）。
【００７３】
ジョブ制御部３１ａ〜３１ｎは、通信部３２ａ〜３２ｎへ読取画像データ、機器設置情報及びユーザ情報等のデータ生成関連情報のサーバＳＶへの送信を要求する読取画像送信要求を行う（Ｓ７）。通信部３２ａ〜３２ｎは、読取画像データ、機器設置情報及びユーザ情報等のデータ生成関連情報をメッセージ取得要求として、サーバＳＶへネットワークＮＷを介して送信する（Ｓ８）。
【００７４】
サーバＳＶは、図７に示すように、メッセージ取得要求を通信部４２が受信すると（Ｓ８）、読取画像データ、機器設置情報及びユーザ情報等のデータ生成関連情報の蓄積を要求する画像データ蓄積要求を画像データ記憶部４４に行う（Ｓ９）。
【００７５】
サーバＳＶは、次に、機器設置情報及びユーザ情報等のデータ生成関連情報をデータ生成関連情報記憶部４６へ送ってデータ生成関連情報記憶要求を行なう（Ｓ１０）。
【００７６】
サーバＳＶは、機器設置情報が「社外」であることを示していると、読取画像とユーザ情報を渡して審査依頼送信処理を外部サーバ連携部４７に行ない（Ｓ１１）、外部サーバ連携部４７から通信部４２へ審査依頼文書を渡して審査依頼送信要求を行う（Ｓ１３）。
【００７７】
サーバＳＶは、通信部４２から外部サーバに対して審査依頼文書を送信して審査依頼を行ない、外部サーバから審査結果が送信されてくると、通信部４２で受信する。
【００７８】
サーバＳＶは、データ生成関連情報のデータ生成関連情報記憶部４６への記憶を行うと、データ生成関連情報記憶部４６からデータ生成関連情報記憶結果通知を画像データ記憶部４４へ行なう（Ｓ１３）。次に、サーバＳＶは、画像データ記憶部４４から蓄積結果通知を通信部４２へ渡して（Ｓ１４）、通信部４２からメッセージ取得要求を送信してきた画像形成装置Ｇａ〜Ｇｎへメッセージ実行結果通知を送信する（Ｓ１５）。
【００７９】
画像形成装置Ｇａ〜Ｇｎは、サーバＳＶからメッセージ実行結果通知を通信部３２ａ〜３２ｎが受信すると（Ｓ１５）、通信部３２ａ〜３２ｎから送信結果通知をジョブ制御部３１ａ〜３１ｎへ渡す（Ｓ１６）。画像形成装置Ｇａ〜Ｇｎは、送信結果通知に応じた読取ジョブ実行結果通知をジョブ制御部３１ａ〜３１ｎからＵＩ３３ａ〜３３ｎに出力して（Ｓ１７）、ＵＩ３３ａ〜３３ｎが読取ジョブ結果を表示部等に表示して読取ジョブ結果をユーザに通知する（Ｓ１８）。
【００８０】
そして、ネットワークシステム１は、図８から図１１に示すように、印刷制限を伴う印刷処理を行う。すなわち、ユーザは、サーバに蓄積されている画像データを取り出して印刷出力（データ出力）する場合、まず、図８に示すように、印刷出力させる画像形成装置Ｇａ〜Ｇｎにおいて、画像データの取出処理を行わせる。
【００８１】
図８において、ネットワークシステム１は、ユーザが画像形成装置Ｇａ〜ＧｎのＵＩ３３ａ〜３３ｎにおいて、サーバＳＶに蓄積されている画像データのうち、出力対象の画像データを確定する画像データ確定要求操作を行う（Ｓ２１）。ネットワークシステム１は、ＵＩ３３ａ〜３３ｎから、印刷ジョブ制御部３１ａ〜３１ｎに画像データ確定を要求する（Ｓ２２）。
【００８２】
ネットワークシステム１は、ジョブ制御部３１ａ〜３１ｎから、機器設置情報取得部３４ａ〜３４ｎに機器設置情報取得要求を行って、機器設置情報取得部３４ａ〜３４ｎのデータ生成関連情報テーブルＴｂ２から自機の機器設置情報（出力先機器情報）を取得する（Ｓ２３）。
【００８３】
ネットワークシステム１は、ジョブ制御部３１ａ〜３１ｎが、画像データ名と機器設置情報（出力先機器情報）を伴う印刷ジョブ制限情報取得要求を通信部３２ａ〜３２ｎへ渡して、通信部３２ａ〜３２ｎからメッセージ取得要求をサーバＳＶへ送信する（Ｓ２５）。
【００８４】
サーバＳＶは、図９に示すように、画像データ名と機器設置情報を伴うメッセージ取得要求が送られてくると、通信部４２で受け取って印刷ジョブ管理部４１へ印刷ジョブ制限情報取得要求として画像データ名と機器設置情報を渡す（Ｓ２６）。
【００８５】
サーバＳＶは、印刷ジョブ管理部４１が印刷レベル設定要求を印刷制限レベル設定部４３に行ない（Ｓ２７）、印刷制限レベル設定部４３が関連度探索部４５に関連度探索要求を行う（Ｓ２８）。
【００８６】
サーバＳＶは、関連度探索部４５がデータ生成関連情報取得要求をデータ生成関連情報記憶部４６に行って、データ生成関連情報テーブルＴｂ１から、対応する画像データ名の蓄積元機器情報及び蓄積実施ユーザ情報からなるデータ生成関連情報を取得する（Ｓ２９、Ｓ３０）。
【００８７】
サーバＳＶは、関連度探索部４５が、後述するように、メッセージ取得要求を送ってきた印刷先（出力先）の機器設置情報（データ出力関連情報）とデータ生成関連情報の関連度（関連度合い）を探索して、関連度探索結果通知を印刷制限レベル設定部４３へ出力する（Ｓ３１）。
【００８８】
サーバＳＶは、印刷制限レベル設定部４３が、関連度探索結果に基づいて、メッセージ取得要求を行ってきた画像形成装置Ｇａ〜Ｇｎにおける出力対象の画像データの印刷制限レベル（出力制限度合い）を設定し、印刷制限レベル設定結果を印刷ジョブ管理部４１へ出力する（Ｓ３２）。
【００８９】
サーバＳＶは、印刷ジョブ管理部４１が、印刷制限レベル設定結果に応じた印刷データ制限情報（印刷設定情報）を通信部４２に渡す（Ｓ３３）。サーバＳＶは、通信部４２が、印刷制限レベル設定結果をメッセージ結果通知として、メッセージ取得要求を行ってきた画像形成装置Ｇａ〜Ｇｎへ送信する（Ｓ３４）。
【００９０】
画像形成装置Ｇａ〜Ｇｎは、メッセージ結果通知がサーバＳＶから送られてくると（Ｓ３４）、図８に示すように、通信部３２ａ〜３２ｎが、ジョブ制御部３１ａ〜３１ｎへ印刷ジョブ制限情報通知として渡す（Ｓ３５）。
【００９１】
ジョブ制御部３１ａ〜３１ｎは、印刷ジョブ制限情報通知に応じた印刷制限通知（印刷設定情報）をＵＩ３３ａ〜３３ｎに行って（Ｓ３６）、ＵＩ３３ａ〜３３ｎに印刷制限設定値の表示を行わせる（Ｓ３７）。
【００９２】
ユーザは、印刷制限設定値の表示がＵＩ３３ａ〜３３ｎに行われると、印刷制限が必要な場合には、該印刷制限設定値に応じた印刷設定変更要求を、画像形成装置Ｇａ〜ＧｎのＵＩ３３ａ〜３３ｎに対して行う（Ｓ３８）。
【００９３】
画像形成装置Ｇａ〜Ｇｎは、ＵＩ３３ａ〜３３ｎが、操作内容に応じた印刷設定の実行要求をジョブ制御部３１ａ〜３１ｎに対して行ない、実行結果をＵＩ３３ａ〜３３ｎに表示してユーザに通知する。
【００９４】
画像形成装置Ｇａ〜Ｇｎは、必要な印刷設定が行われた後、ユーザがＵＩ３３ａ〜３３ｎに対して、画像データ名を指定した印刷ジョブ開始要求操作を行うと（Ｓ４０）、ＵＩ３３ａ〜３３ｎが、印刷ジョブ実行要求を印刷ジョブ制御部３１ａ〜３１ｎへ行う（Ｓ４１）。
【００９５】
画像形成装置Ｇａ〜Ｇｎは、ジョブ制御部３１ａ〜３１ｎが、画像データ名と印刷設定値を伴った印刷ジョブ生成要求を通信部３２ａ〜３２ｎに対して行う（Ｓ４２）。画像形成装置Ｇａ〜Ｇｎは、通信部３２ａ〜３２ｎが、図１１に示すように、画像データ名と印刷設定値を伴ったメッセージ取得要求をサーバＳＶへ送信する（Ｓ４３）。
【００９６】
サーバＳＶは、図１１に示すように、画像データ名と印刷設定値を伴うメッセージ取得要求が送られてくると、通信部４２で受信して（Ｓ４３）、印刷ジョブ管理部４１へ印刷ジョブ生成要求を行う（Ｓ４４）。
【００９７】
サーバＳＶは、印刷ジョブ管理部４１が、印刷ジョブ生成要求の画像データ名を指定して画像データ記憶部４４に画像データ取得要求を行って（Ｓ４５）、画像データを取得する（Ｓ４６）。
【００９８】
サーバＳＶは、印刷ジョブ管理部４１が、画像データと印刷設定値を伴った印刷ジョブ実行要求を、通信部４２を介して印刷先であるメッセージ取得要求を行ってきた画像形成装置Ｇａ〜Ｇｎへの送信を依頼する（Ｓ４７）。通信部４２は、画像データと印刷設定値を伴うメッセージ取得要求を、図１０に示すように、メッセージ取得要求を行ってきた画像形成装置Ｇａ〜Ｇｎに送信する（Ｓ４８）。
【００９９】
画像形成装置Ｇａ〜Ｇｎは、メッセージ取得要求を受信すると、通信部３２ａ〜３２ｎが画像データと印刷設定値をジョブ制御部３１ａ〜３１ｎに渡して、印刷データ確定を行う（Ｓ４９）。画像形成装置Ｇａ〜Ｇｎは、ジョブ制御部３１ａ〜３１ｎが、画像データと印刷設定に基づいて、印刷部３５ａ〜３５ｎに印刷ジョブを実行させるジョブ実行要求を行う（Ｓ５０）。
【０１００】
画像形成装置Ｇａ〜Ｇｎは、以降、通常の印刷ジョブの実行を行うが、この印刷ジョブの実行においては、印刷制限設定値での制限範囲内で変更された印刷設定に基づく印刷ジョブを実行する。
【０１０１】
サーバＳＶは、図５に示した印刷制限テーブルＴｂ３が印刷制限レベル設定部４３に格納されているものとした場合、上記図８から図１１における印刷制限設定処理を、図１２に示すように実行する。すなわち、ユーザがＵＩ３３ａ〜３３ｎによって画像データを選択すると（ステップＳ１０１）、サーバＳＶは、データ生成関連情報（読取機）とデータ出力関連情報（印刷機）を比較して、両方が社内であるかチェックする（ステップＳ１０２）。
【０１０２】
ステップＳ１０２で、読取機と印刷機が共に社内であると（ステップＳ１０２で、ＹＥＳのとき）、サーバＳＶは、印刷制限を設けない「制限なし」を印刷制限レベルとして設定する（ステップＳ１０３）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ１０４）。
【０１０３】
ステップＳ１０２で、読取機と印刷機のいずれかまたは双方が社外であると（ステップＳ１０２で、ＮＯのとき）、サーバＳＶは、読取機が社内であって、印刷機が社外であるかチェックする（ステップＳ１０５）。
【０１０４】
ステップＳ１０５で、読取機が社内で、印刷機が社外であると（ステップＳ１０５で、ＹＥＳのとき）、サーバＳＶは、社内のデータを社外に持ち出して印刷するため、例えば、印刷部数を１０部に制限する強制不正コピーガードの印刷制限レベルを設定する（ステップＳ１０６）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ１０４）。この場合、例えば、画像形成装置Ｇａにおいて、本来、１０００部印刷可能であったとしても、サーバＳＶへの問い合わせ結果により、１０部に制限されると、１０部以上の印刷設定を制限する。
【０１０５】
ステップＳ１０５で、読取機が社内で、印刷機が社外でないとき（ステップＳ１０５で、ＮＯのとき）、サーバＳＶは、読取機が社外で、印刷機が社内であるかチェックする（ステップＳ１０７）。
【０１０６】
ステップＳ１０７で、読取機が社外で、印刷機が社内であると（ステップＳ１０７で、ＹＥＳであると）、サーバＳＶは、データの持ち込みの許可が承認されているかチェックする（ステップＳ１０８）。すなわち、サーバＳＶは、読取場所が「社外」の「データ持ち込み承認要」の場合、その読取データ（画像データ）が、印刷制限対象であるか否かの問い合わせを外部サーバに行う。
【０１０７】
ステップＳ１０８で、承認されていると（ステップＳ１０８で、ＹＥＳのとき）、サーバＳＶは、印刷制限対象外であると、「制限なし」を印刷制限レベルを設定する。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ１０４）。
【０１０８】
ステップＳ１０８で、承認されていないと（ステップＳ１０８で、ＮＯのとき）、サーバＳＶは、印刷不可と判断して、ステップＳ１０１に戻り、上記同様に処理する（ステップＳ１０１〜Ｓ１０８）。
【０１０９】
ステップＳ１０７で、読取機が社外で、印刷機が社内でないとき（ステップＳ１０７で、ＮＯのとき）、サーバＳＶは、読取機が社外で、印刷機も社外であるため、印刷制限の対象ではないとして、「制限なし」を印刷制限レベルを設定する（ステップＳ１０９）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ１０４）。
【０１１０】
そして、サーバＳＶは、画像データ記憶部４４、すなわち、ハードディスク２６に蓄積した画像データを、図１３に示すような画像データ管理テーブルＴｂ４に基づいて管理して、出力制限（印刷制限）を行う。
【０１１１】
すなわち、サーバＳＶは、画像データを受信すると、印刷ジョブ管理部４１が、該画像データを画像データ記憶部４４に蓄積し、画像データ記憶部４４または印刷ジョブ管理部４１内のメモリに格納されている画像データ管理テーブルＴｂ４に、画像データ管理情報を登録する。この画像データ管理情報は、図１３に示すように、「Ｎｏ．」、「画像データ名」、「印刷状況」等の情報からなり、印刷状況としては、例えば、印刷済み部数、印刷承認済み階中の情報及び図１３には記載されていないが、印刷制限枚数からなる。印刷ジョブ管理部４１は、画像データを印刷する際、印刷対象の画像データの印刷状況と印刷制限結果（例えば、印刷制限部数）を比較して、印刷可否判断を行う。サーバＳＶは、例えば、図１３の場合、印刷済み部数が印刷制限部数と同じ部数であると、それ以上の印刷を許可できないため、例えば、Ｎｏ．２の画像データの印刷済み部数が「１０」であり、印刷制限部数も「１０」であると、Ｎｏ．２の画像データについては、印刷制限を印刷不可を設定して、画像形成装置Ｇａ〜Ｇｎに対して、エラーメッセージを送信する。エラーメッセージを受信した画像形成装置Ｇａ〜Ｇｎは、印刷ができない旨をＵＩ３３ａ〜３３ｎに表示して、ユーザに通知する。また、サーバＳＶは、読取機が社外で、印刷機が社内の場合に、承認が必要となる画像データに関しては、印刷承認済みであるか否かの情報を画像データ管理テーブルＴｂ４に登録する。サーバＳＶは、承認不要または承認済みである画像データに関しては、印刷実施可能とし、承認がされていない画像データに関しては印刷実施不可とする印刷制限を行う。
【０１１２】
なお、サーバＳＶは、上記印刷制限において、読取機と印刷機としての画像形成装置Ｇａ〜Ｇｎの関連度合いを、その所属が「社内」と「社外」のいずれであるかに基づいて、印刷制限レベルを設定している。サーバＳＶは、この関連度合いの探索を、図１４に示すように画像形成装置Ｇａ〜ＧｎのＩＰアドレスに基づいて行ってもよい。
【０１１３】
すなわち、サーバＳＶは、図１４に示すように、関連度探索部４５が、読取機と印刷機のＩＰアドレスを獲得し（ステップＳ２０１）、ＩＰアドレスの上位２４ビットが同じであるかチェックする（ステップＳ２０２）。すなわち、関連度探索部４５は、データ生成関連情報及びデータ出力関連情報として、ＩＰアドレスを取得し、その上位２４ビットが、例えば、同じ「１０．６０．１３５．××」であるかチェックする。
【０１１４】
ステップＳ２０２で、上位２４ビットが同じであると（ステップＳ２０２で、ＹＥＳのとき）、関連度探索部４５は、読取機と印刷機が、同じ社内であって同じフロア関係にある関連度として、印刷制限レベル設定部４３に探索結果を渡す。印刷制限レベル設定部４３は、この関連度の場合、印刷制限を設けない「制限なし」を印刷制限レベルを設定する（ステップＳ２０３）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ２０４）。
【０１１５】
ステップＳ２０２で、上位２４ビットが同じでないとき（ステップＳ２０２で、ＮＯのとき）、関連度探索部４５は、読取機と印刷機のＩＰの上位１６ビットが同じであるかチェックする（ステップＳ２０５）。すなわち、関連度探索部４５は、読取機と印刷機のＩＰアドレスの上位１６ビットが、例えば、同じ「１０．６０．○○．××」であるかチェックする。
【０１１６】
ステップＳ２０５で、上位１６ビットが同じであると（ステップＳ２０５で、ＹＥＳのとき）、関連度探索部４５は、読取機と印刷機が、同じ社内であって異なるフロア関係にある関連度として、印刷制限レベル設定部４３に探索結果を渡す。印刷制限レベル設定部４３は、この関連度の場合、例えば、即時印刷を禁止し、オンデマンド印刷のみを制限なしで実施させる印刷制限レベルを設定する（ステップＳ２０６）。なお、ここで、即時印刷は、スキャナ部３５ａ〜３５ｎでの原稿読取時の読取設定と印刷部３６ａ〜３６ｎでの印刷設定を、原稿の読み取りを行う画像形成装置Ｇａ〜Ｇｎにおいて一括で行い、サーバＳＶを介して即時に印刷することをいう。また、オンデマンド印刷は、上述のように、サーバＳＶを介して、読取側の画像形成装置Ｇａ〜Ｇｎと印刷側の画像形成装置Ｇａ〜Ｇｎが異なる場合と同じ場合の印刷を含むが、読取設定と印刷設定が一括では行われない場合の印刷をいう。
【０１１７】
サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ２０４）。
【０１１８】
ステップＳ２０５で、上位１６ビットが同じでないと（ステップＳ２０５で、ＮＯのとき）、関連度探索部４５は、社外関係にある関係度として、印刷制限レベル設定部４３に探索結果を渡す。印刷制限レベル設定部４３は、例えば、印刷部数を「１０部」に制限する印刷制限を設定する（ステップＳ２０７）。なお、この場合、印刷制限レベル設定部４３は、印刷制限なしを設定してもよい。
【０１１９】
サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ２０４）。
【０１２０】
このようにすると、データの生成と出力を行う画像形成装置Ｇａ〜ＧｎのＩＰアドレスに基づいて、データ出力における出力制限レベルを設定して出力制限することができる。その結果、任意のデータ生成手段であるスキャナ部３５ａ〜３５ｎから受け取ったデータをデータ出力手段である印刷部３６ａ〜３６ｎで出力する際における該データのセキュリティレベルを適切に確保することができる。
【０１２１】
また、サーバＳＶは、上記印刷制限において、読取機と印刷機としての画像形成装置Ｇａ〜Ｇｎの関連度合いの探索を、図１５に示すように、画像形成装置Ｇａ〜Ｇｎの経度緯度、ＩＰアドレス及びユーザ情報に基づいて行ってもよい。
【０１２２】
すなわち、サーバＳＶは、図１５に示すように、関連度探索部４５が、読取機と印刷機の関連情報を獲得し（ステップＳ３０１）、読取機と印刷機の「緯度経度」が同じであるかチェックする（ステップＳ３０２）。
【０１２３】
ステップＳ３０２で、「緯度経度」が同じであると（ステップＳ３０２で、ＹＥＳのとき）、関連度探索部４５は、読取機と印刷機が同じ建物内に設置されているとして、そのＩＰアドレスの上位１６ビットが同じであるかチェックする（ステップＳ３０３）。すなわち、関連度探索部４５は、読取機と印刷機の緯度経度が同じであると、同じ建物内に設置されていると判断し、ＩＰアドレスを取得して、その上位１６ビットを比較することで、同じフロアであるか、異なるフロアであるか、によって同じ会社内に設置されているか否かチェックする。
【０１２４】
ステップＳ３０３で、ＩＰアドレスの上位１６ビットが同じであると（ステップＳ３０３で、ＹＥＳのとき）、関連度探索部４５は、読取機と印刷機が同じ場所にある同一社内関係にある関係度として、印刷制限レベル設定部４３に探索結果を渡す。印刷制限レベル設定部４３は、この関連度の場合、印刷制限を設けない「制限なし」を印刷制限レベルとして設定する（ステップＳ３０４）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ３０５）。
【０１２５】
ステップＳ３０３で、読取機と印刷機のＩＰアドレスの上位１６ビットが異なると（ステップＳ３０３で、ＮＯのとき）、関連度探索部４５は、同じ場所にある社外関係にある関係度として、印刷制限レベル設定部４３に探索結果を渡す。印刷制限レベル設定部４３は、この関連度の場合、例えば、印刷部数を、５部に制限（「部数制限：５部」）する印刷制限レベルを設定する（ステップＳ３０６）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ３０５）。
【０１２６】
ステップＳ３０２で、読取機と印刷機の「緯度経度」が異なると（ステップＳ３０２で、ＮＯのとき）、関連度探索部４５は、読取機と印刷機のＩＰアドレスの上位１６ビットが同じであるかチェックする（ステップＳ３０７）。
【０１２７】
ステップＳ３０７で、ＩＰアドレスの上位１６ビットが同じであると（ステップＳ３０７で、ＹＥＳのとき）、関連度探索部４５は、異なる場所にある同一社内関係にある関係度とする（ステップＳ３０８）。そして、関連度探索部４５は、画像データを蓄積したユーザ（蓄積ユーザ）と印刷しようとしているユーザ（印刷ユーザ）が同一であるかチェックする（ステップＳ３０９）。
【０１２８】
ステップＳ３０９で、蓄積ユーザと印刷ユーザが同一であると（ステップＳ３０９で、ＹＥＳのとき）、関連度探索部４５は、異なる場所にある同一社内関係であって、ユーザが同じ関連度として、印刷制限レベル設定部４３に探索結果を渡す。印刷制限レベル設定部４３は、この関連度の場合、印刷制限を設けない「制限なし」を印刷制限レベルとして設定する（ステップＳ３１０）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ３０５）。
【０１２９】
ステップＳ３０９で、蓄積ユーザと印刷ユーザが異なると（ステップＳ３０９で、ＮＯのとき）、関連度探索部４５は、異なる場所にある同一社内関係であって、ユーザが異なる関連度として、印刷制限レベル設定部４３に探索結果を渡す。印刷制限レベル設定部４３は、この関連度の場合、例えば、印刷部数を、１０部に制限（「部数制限：１０部」）する印刷制限レベルを設定する（ステップＳ３１１）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ３０５）。
【０１３０】
ステップＳ３０７で、読取機と印刷機のＩＰアドレスの上位１６ビットが異なると（ステップＳ３０７で、ＮＯのとき）、関連度探索部４５は、異なる場所にあり、社外関係にある関連度として、印刷制限レベル設定部４３に探索結果を渡す。印刷制限レベル設定部４３は、例えば、強制不正コピーガードとして印刷部数を１部に制限（「部数制限：１部（強制不正コヒーガード」）する印刷制限レベルを設定する（ステップＳ３１２）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ３０５）。
【０１３１】
このようにすると、データの生成と出力を行う画像形成装置Ｇａ〜Ｇｎの画像形成装置Ｇａ〜Ｇｎの経度緯度、ＩＰアドレス及びユーザ情報に基づいて、データ出力における出力制限レベルを設定して出力制限することができる。その結果、任意のデータ生成手段であるスキャナ部３５ａ〜３５ｎから受け取ったデータをデータ出力手段である印刷部３６ａ〜３６ｎで出力する際における該データのセキュリティレベルを適切に確保することができる。
【０１３２】
さらに、サーバＳＶは、上記印刷制限において、読取機と印刷機としての画像形成装置Ｇａ〜Ｇｎの関連度合いの探索を、図１６に示すように、読取機のユーザ（蓄積ユーザ）と印刷機のユーザ（印刷ユーザ）の使用履歴に基づいて行ってもよい。
【０１３３】
すなわち、サーバＳＶは、図１６に示すように、関連度探索部４５が、図２のデータ生成関連情報テーブルＴｂ１と図３のデータ出力関連情報テーブルＴｂ２から読取機と印刷機の使用履歴のあるユーザの所属を取得する（ステップＳ４０１）。関連度探索部４５は、取得した使用履歴のユーザの所属から、読取機を最も使用しているユーザの所属と、印刷機を最も使用しているユーザの所属を求めて、同じ所属であるかチェックする（ステップＳ４０２）。
【０１３４】
ステップＳ４０２で、読取機と印刷機で最多使用ユーザの所属が同じであると（ステップＳ４０２で、ＹＥＳのとき）、関連度探索部４５は、高い関連度であるとして、印刷制限レベル設定部４３へ探索結果を渡す。印刷制限レベル設定部４３は、この関連度の場合、印刷制限を設けない「制限なし」を印刷制限レベルとして設定する（ステップＳ４０３）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ４０４）。
【０１３５】
ステップＳ４０２で、読取機と印刷機で最多使用ユーザの所属が異なると（ステップＳ４０２で、ＹＥＳのとき）、関連度探索部４５は、低い関連度であるとして、印刷制限レベル設定部４３へ探索結果を渡す。印刷制限レベル設定部４３は、この関連度の場合、例えば、印刷部数を、１０部に制限（「部数制限：１０部」）する印刷制限レベルを設定する（ステップＳ４０５）。サーバＳＶは、設定した印刷制限レベルを、印刷対象の画像データを指定してきた画像形成装置Ｇａ〜Ｇｎに対して送信して、該印刷制限レベルに応じた印刷設定の印刷要求があると、画像データと印刷設定による印刷ジョブを画像形成装置Ｇａ〜Ｇｎに送信して印刷処理を行わせる（ステップＳ４０４）。
【０１３６】
このようにすると、データ（画像データ）を取り扱うユーザの使用履歴に基づいて印刷制限レベルを設定して印刷制限することができる。その結果、任意のデータ生成手段であるスキャナ部３５ａ〜３５ｎから受け取ったデータをデータ出力手段である印刷部３６ａ〜３６ｎで出力する際における該データのセキュリティレベルを適切に確保することができる。
【０１３７】
このように、本実施例のネットワークシステム１は、そのサーバ（データ出力制限装置）ＳＶが、データを生成する複数の画像形成装置（データ生成手段）Ｇａ〜Ｇｎのスキャナ部３５ａ〜３５ｎ及びデータを出力する複数の画像形成装置（データ出力手段）Ｇａ〜Ｇｎの印刷部３６ａ〜３６ｎとともにネットワークＮＷ上に接続されているサーバＳＶであって、前記スキャナ部３５ａ〜３５ｎの生成するデータを受け取る通信部（データ受取手段）４２と、スキャナ部３５ａ〜３５ｎにおけるデータ生成に関するデータ生成関連情報を取得する通信部（データ生成関連情報取得手段）４２と、前記データ受取手段としての通信部４２の受け取ったデータを蓄積する画像データ記憶部（データ蓄積手段）４４と、印刷部３６ａ〜３６ｎからのデータ出力要求を受け取る通信部（出力要求受取手段）４２と、前記データ出力要求に応じて前記画像データ記憶部４４のデータを前記印刷部３６ａ〜３６ｎへ送出する印刷ジョブ管理部４１と通信部４２からなるデータ送出手段と、前記データの出力先である前記印刷部３６ａ〜３６ｎおけるデータ出力に関するデータ出力関連情報を取得する印刷ジョブ管理部４１と通信部４２からなるデータ出力関連情報取得手段と、前記データ生成関連情報と前記データ出力関連情報の関連度合いを探索する関連度探索部（関連度合い探索手段）４５と、前記関連度合いに基づいて前記印刷部３６ａ〜３６ｎにおける前記データの印刷制限レベル（出力制限度合い）を設定する印刷制限レベル設定部（出力制限度合い設定手段）４３と、を備えている。
【０１３８】
したがって、データの生成元（蓄積元）であるスキャナ部３５ａ〜３５ｎに関連するデータ生成関連情報とデータの出力先である印刷部３６ａ〜３６ｎに関連するデータ出力関連情報の関連度合いに応じた印刷制限レベルを設定することができる。その結果、任意のデータ生成手段であるスキャナ部３５ａ〜３５ｎから受け取ったデータを適宜のデータ出力手段である印刷部３６ａ〜３６ｎで出力する際における該データのセキュリティレベルを適切に確保することができる。したがって、オンデマンド印刷等におけるデータのセキュリティレベルを適切に確保することができる。
【０１３９】
また、本実施例のネットワークシステム１は、ネットワークＮＷ上に、複数のデータ生成装置としての画像形成装置Ｇａ〜Ｇｎ、複数のデータ出力装置としての画像形成装置Ｇａ〜Ｇｎ及びデータ出力制限装置としてのサーバＳＶが接続されているネットワークシステム１において、前記データ生成装置である画像形成装置Ｇａ〜Ｇｎは、データを生成して前記ネットワークＮＷを通して前記データ出力制限装置であるサーバＳＶへ送信するスキャナ部（データ生成手段）３５ａ〜３５ｎと、前記データの生成に関するデータ生成関連情報をサーバＳＶに提供する機器設置情報取得部３４ａ〜３４ｎ、ジョブ制御部３１ａ〜３１ｎ及び通信部３２ａ〜３２ｎからなるデータ生成関連情報提供手段と、を備え、前記データ出力制限装置としてのサーバＳＶが、前記データ生成装置としての画像形成装置Ｇａ〜Ｇｎから送られてくるデータを受け取る通信部（データ受取手段）４２と、前記データ生成関連情報を取得する通信部（データ生成関連情報取得手段）４２と、前記データ受取手段としての通信部４２の受け取ったデータを蓄積する画像データ記憶部（データ蓄積手段）４４と、印刷部３６ａ〜３６ｎからのデータ出力要求を受け取る通信部（出力要求受取手段）４２と、前記データ出力要求に応じて前記画像データ記憶部４４のデータを前記印刷部３６ａ〜３６ｎへ送出する印刷ジョブ管理部４１と通信部４２からなるデータ送出手段と、前記印刷部３６ａ〜３６ｎおけるデータ出力に関するデータ出力関連情報を取得する印刷ジョブ管理部４１と通信部４２からなるデータ出力関連情報取得手段と、前記データ生成関連情報と前記データ出力関連情報の関連度合いを探索する関連度探索部（関連度合い探索手段）４５と、前記関連度合いに基づいて前記印刷部３６ａ〜３６ｎにおける前記データの印刷制限レベル（出力制限度合い）を設定する印刷制限レベル設定部（出力制限度合い設定手段）４３と、前記印刷制限レベルに応じた印刷制限情報（出力制限情報）を画像形成装置Ｇａ〜Ｇｎへ送出する印刷ジョブ管理部４１及び通信部４２からなる出力制限情報送出手段と、を備え、前記データ出力装置としての画像形成装置Ｇａ〜Ｇｎが、サーバＳＶから前記データを取得する通信部（データ取得手段）３２ａ〜３２ｎと、前記データの出力を行う印刷部（データ出力手段）３６ａ〜３６ｎと、前記データ出力関連情報をサーバＳＶへ提供する機器設置情報取得部３４ａ〜３４ｎ、ジョブ制御部３１ａ〜３１ｎ及び通信部３２ａ〜３２ｎからなるデータ出力関連情報提供手段と、前記データに対応する前記印刷制限情報に応じて、印刷部３６ａ〜３６ｎによる前記データ出力を制御するジョブ制御部（出力制御手段）３１ａ〜３１ｎと、を備えている。
【０１４０】
したがって、データの生成元（蓄積元）であるスキャナ部３５ａ〜３５ｎに関連するデータ生成関連情報とデータの出力先である印刷部３６ａ〜３６ｎに関連するデータ出力関連情報の関連度合いに応じた印刷制限レベルを設定することができる。その結果、任意のデータ生成手段であるスキャナ部３５ａ〜３５ｎから受け取ったデータを適宜のデータ出力手段である印刷部３６ａ〜３６ｎで出力する際における該データのセキュリティレベルを適切に確保することができる。したがって、オンデマンド印刷等におけるデータのセキュリティレベルを適切に確保することができる。
【０１４１】
さらに、本実施例のネットワークシステム１は、ネットワークＮＷに接続されている複数台の画像形成装置（画像処理装置）Ｇａ〜Ｇｎであって、データ出力制限装置としてのサーバＳＶの備えている各手段を備えてデータ出力制限装置として機能してもよい。この場合、画像形成装置Ｇａ〜Ｇｎのうち、すくなくとも１つの画像形成装置Ｇａ〜ＧｎがサーバＳＶの備えている通信部４２、印刷ジョブ管理部４１、印刷制限レベル設定部４３、画像データ記憶部４４、関連度探索部４５、データ生成関連情報記憶部４６の機能を備えている。
【０１４２】
したがって、データの生成元（蓄積元）であるスキャナ部３５ａ〜３５ｎに関連するデータ生成関連情報とデータの出力先である印刷部３６ａ〜３６ｎに関連するデータ出力関連情報の関連度合いに応じた印刷制限レベルを設定することができる。その結果、任意のデータ生成手段であるスキャナ部３５ａ〜３５ｎから受け取ったデータを適宜のデータ出力手段である印刷部３６ａ〜３６ｎで出力する際における該データのセキュリティレベルを適切に確保することができる。したがって、オンデマンド印刷等におけるデータのセキュリティレベルを適切に確保することができる。
【０１４３】
また、本実施例のネットワークシステム１は、データを生成する複数のスキャナ部（データ生成手段）３５ａ〜３５ｎ及びデータを出力する複数の印刷部（データ出力手段）３６ａ〜３６ｎとともにネットワークＮＷ上に接続されているサーバ（データ出力制限装置）ＳＶにおけるデータ出力制限方法であって、前記スキャナ部３５ａ〜３５ｎの生成するデータを受け取るデータ受取処理ステップと、前記スキャナ部３５ａ〜３５ｎにおけるデータ生成に関するデータ生成関連情報を取得するデータ生成関連情報取得処理ステップと、前記データ受取処理ステップで受け取られたデータを画像データ記憶部（データ蓄積手段）４４へ蓄積するデータ蓄積処理ステップと、前記印刷部３６ａ〜３６ｎからのデータ出力要求を受け取る出力要求受取処理ステップと、前記データ出力要求に応じて画像データ記憶部４４のデータを前記印刷部３６ａ〜３６ｎへ送出するデータ送出処理ステップと、印刷部３６ａ〜３６ｎおけるデータ出力に関するデータ出力関連情報を取得するデータ出力関連情報取得処理ステップと、前記データ生成関連情報と前記データ出力関連情報の関連度合いを探索する関連度合い探索処理ステップと、前記関連度合いに基づいて前記印刷部３６ａ〜３６ｎにおける前記データの印刷制限レベル（出力制限度合い）を設定する出力制限度合い設定処理ステップと、を有しているデータ出力制限方法を実行している。
【０１４４】
したがって、データの生成元（蓄積元）であるスキャナ部３５ａ〜３５ｎに関連するデータ生成関連情報とデータの出力先である印刷部３６ａ〜３６ｎに関連するデータ出力関連情報の関連度合いに応じた印刷制限レベルを設定することができる。その結果、任意のデータ生成手段であるスキャナ部３５ａ〜３５ｎから受け取ったデータを適宜のデータ出力手段である印刷部３６ａ〜３６ｎで出力する際における該データのセキュリティレベルを適切に確保することができる。したがって、オンデマンド印刷等におけるデータのセキュリティレベルを適切に確保することができる。
【０１４５】
さらに、本実施例のネットワークシステム１は、データを生成する複数のスキャナ部（データ生成手段）３５ａ〜３５ｎ及びデータを出力する複数の印刷部（データ出力手段）３６ａ〜３６ｎとともにネットワークＮＷ上に接続されているサーバ（データ出力制限装置）ＳＶの搭載するデータ出力制限プログラムであって、ＣＰＵ２２等の制御プロセッサに、前記スキャナ部３５ａ〜３５ｎの生成するデータを受け取るデータ受取処理と、前記スキャナ部３５ａ〜３５ｎにおけるデータ生成に関するデータ生成関連情報を取得するデータ生成関連情報取得処理と、前記データ受取処理で受け取られたデータを画像データ記憶部（データ蓄積手段）４４へ蓄積するデータ蓄積処理と、前記印刷部３５ａ〜３５ｎからのデータ出力要求を受け取る出力要求受取処理と、前記データ出力要求に応じて前記画像データ記憶部４４のデータを前記印刷部３６ａ〜３６ｎへ送出するデータ送出処理と、前記印刷部３６ａ〜３６ｎおけるデータ出力に関するデータ出力関連情報を取得するデータ出力関連情報取得処理と、前記データ生成関連情報と前記データ出力関連情報の関連度合いを探索する関連度合い探索処理と、前記関連度合いに基づいて前記印刷部３６ａ〜３６ｎにおける前記データの印刷制限レベル（出力制限度合い）を設定する出力制限度合い設定処理と、を実行させるデータ出力制限プログラムを搭載している。
【０１４６】
したがって、データの生成元（蓄積元）であるスキャナ部３５ａ〜３５ｎに関連するデータ生成関連情報とデータの出力先である印刷部３６ａ〜３６ｎに関連するデータ出力関連情報の関連度合いに応じた印刷制限レベルを設定することができる。その結果、任意のデータ生成手段であるスキャナ部３５ａ〜３５ｎから受け取ったデータを適宜のデータ出力手段である印刷部３６ａ〜３６ｎで出力する際における該データのセキュリティレベルを適切に確保することができる。したがって、オンデマンド印刷等におけるデータのセキュリティレベルを適切に確保することができる。
【０１４７】
また、本実施例のネットワークシステム１は、前記データ出力制限装置であるサーバＳＶが、前記印刷制限レベル（出力制限度合い）に応じた出力制限情報を前記画像形成装置Ｇａ〜Ｇｎの印刷部３６ａ〜３６ｎへ送出する印刷ジョブ管理部（出力制限情報送出手段）４１を、さらに備えている。
【０１４８】
したがって、任意のスキャナ部３５ａ〜３５ｎから受け取ったデータを適宜の印刷部３６ａ〜３６ｎで出力する際における該データのセキュリティレベルを、適切かつ確実に確保することができる。
【０１４９】
さらに、本実施例のネットワークシステム１は、前記データ生成手段が、原稿の画像を読み取って該原稿の画像データを前記データとして生成するスキャナ部（画像読取手段）３５ａ〜３５ｎであり、前記データ出力手段が、画像データに基づいて画像を用紙（被記録媒体）に記録出力する印刷部（画像形成手段）３６ａ〜３６ｎである。
【０１５０】
したがって、任意のスキャナ部３５ａ〜３５ｎから受け取ったデータを適宜の印刷部３６ａ〜３６ｎで印刷出力する際における該データのセキュリティレベルを、適切かつ確実に確保することができる。
【０１５１】
また、本実施例のネットワークシステム１は、前記データ出力手段３６ａ〜３６ｎが、情報を表示出力するＵＩ（表示手段）３３ａ〜３３ｎを備え、前記印刷制限レベル設定部（出力制限度合い設定手段）４３が、前記データの前記印刷制限レベル（出力制限度合い）に関する情報をＵＩ３３ａ〜３３ｎに表示出力する。
【０１５２】
したがって、任意のスキャナ部３５ａ〜３５ｎから受け取ったデータを適宜の印刷部３６ａ〜３６ｎで印刷出力する際に、印刷制限レベルをユーザに通知して、ユーザに印刷制限レベルを確認させた上で、該データのセキュリティレベルを、適切かつ確実に確保することができる。
【０１５３】
さらに、本実施例のネットワークシステム１は、前記通信部（データ生成関連情報取得手段）４２が、前記スキャナ部（データ生成手段）３５ａ〜３５ｎの前記ネットワークＮＷ上でのＩＰアドレスを前記データ生成関連情報として取得し、印刷ジョブ管理部４１と通信部４２からなるデータ出力関連情報取得手段が、前記印刷部（データ出力手段）３６ａ〜３６ｎの前記ネットワークＮＷ上でのＩＰアドレスを前記データ出力関連情報として取得する。
【０１５４】
したがって、スキャナ部３５ａ〜３５ｎと印刷部３６ａ〜３６ｎのＩＰアドレスに基づいて、スキャナ部３５ａ〜３５ｎと印刷部３６ａ〜３６ｎの設置環境を適切に把握することができる。その結果、任意のスキャナ部３５ａ〜３５ｎから受け取ったデータを適宜の印刷部３６ａ〜３６ｎで印刷出力する際における該データのセキュリティレベルを、より一層適切かつ確実に確保することができる。
【０１５５】
また、本実施例のネットワークシステム１は、前記通信部（データ生成関連情報取得手段）４２が、前記スキャナ部（データ生成手段）３５ａ〜３５ｎを利用して前記データの生成を行わせるユーザに関する蓄積実施ユーザ情報（データ生成ユーザ関連情報）を前記データ生成関連情報として取得し、前記印刷ジョブ管理部４１と通信部４２からなるデータ出力関連情報取得手段が、前記印刷部（データ出力手段）３６ａ〜３６ｎを利用して前記データの出力を行わせるユーザに関する出力実施ユーザ情報（データ出力ユーザ関連情報）を前記データ出力関連情報して取得する。
【０１５６】
したがって、データを蓄積するユーザに関する所属等の情報とデータを出力するユーザの所属等の情報に基づいて、データの生成環境とデータの出力環境を適切に把握することができる。その結果、任意のスキャナ部３５ａ〜３５ｎから受け取ったデータを適宜の印刷部３６ａ〜３６ｎで印刷出力する際における該データのセキュリティレベルを、より一層適切かつ確実に確保することができる。
【０１５７】
なお、上記説明においては、ネットワークシステム１として、画像形成装置Ｇａ〜ＧｎとサーバＳＶがネットワークＮＷに接続されていて、画像形成装置Ｇａ〜Ｇｎの読取部１１ａ〜１１ｎで読み取られた画像データを、サーバＳＶに一旦蓄積し、該サーバＳＶ上の画像データを他の画像形成装置Ｇａ〜Ｇｎまたは同じ画像形成装置Ｇａ〜Ｇｎが出力要求してデータ出力（印刷出力等）する場合について説明した。ところが、本発明のネットワークシステムは、上記ネットワークシステム構成に限るものではない。例えば、データを生成するデータ生成手段としては、画像形成装置Ｇａ〜Ｇｎの読取部１１ａ〜１１ｎに限らず、例えば、スキャナ装置等であってもよく、データ出力手段としては、画像形成装置Ｇａ〜Ｇｎの印刷部１６ａ〜１６ｎに限らず、例えば、プリンタ装置であってもよい。さらに、データを蓄積するのは、サーバＳＶに限るものではなく、例えば、ネットワークシステム１上の大容量記憶部を備えた画像形成装置等であってもよい。
【０１５８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１５９】
１  ネットワークシステム
ＮＷ  ネットワーク
Ｇａ〜Ｇｎ  画像形成装置
ＳＶ  サーバ
１１ａ〜１１ｎ  読取部
１２ａ〜１２ｎ  操作部
１３ａ〜１３ｎ  ＣＰＵ
１４ａ〜１４ｎ  ＲＯＭ
１５ａ〜１５ｎ  ＲＡＭ
１６ａ〜１６ｎ  印刷部
１７ａ〜１７ｎ  画像メモリ
１８ａ〜１８ｎ  ハードディスク
１９ａ〜１９ｎ  ＮＩＣ
２１  操作部
２２  ＣＰＵ
２３  ＲＯＭ
２４  ＲＡＭ
２５  画像メモリ
２６  ハードディスク
２７  ＮＩＣ
３１ａ〜３１ｎ  ジョブ制御部
３２ａ〜３２ｎ  通信部
３３ａ〜３３ｎ  ＵＩ
３４ａ〜３４ｎ  機器設置情報取得部
３５ａ〜３５ｎ  スキャナ部
３６ａ〜３６ｎ  印刷部
４１  印刷ジョブ管理部
４２  通信部
４３  印刷制限レベル設定部
４４  画像データ記憶部
４５  関連度探索部
４６  画像データ入力機情報記憶部
４７  外部サーバ連携部
Ｔｂ１  データ生成関連情報テーブル
Ｔｂ２  データ出力関連情報テーブル
Ｔｂ３  印刷制限テーブル
Ｔｂ４  画像データ管理テーブル
【先行技術文献】
【特許文献】
【０１６０】
【特許文献１】特開２００６−３４３８４０号公報
【図１】
2015201070.tif 000003
【図２】
2015201070.tif 000004
【図３】
2015201070.tif 000005
【図４】
2015201070.tif 000006
【図５】
2015201070.tif 000007
【図６】
2015201070.tif 000008
【図７】
2015201070.tif 000009
【図８】
2015201070.tif 000010
【図９】
2015201070.tif 000011
【図１０】
2015201070.tif 000012
【図１１】
2015201070.tif 000013
【図１２】
2015201070.tif 000014
【図１３】
2015201070.tif 000015
【図１４】
2015201070.tif 000016
【図１５】
2015201070.tif 000017
【図１６】
2015201070.tif 000018